(57)【要約】【課題】走行シートに付与された長さ切断位置の目安としてのピッチマークを、短時間で確実に識別できるようにすることである。【解決手段】走行する段ボールシート１のラインマーク５とピッチマーク４が付与されたシート幅縁部と、シート幅縁部の外側のシート外側部とを含めた幅方向の視野を連続的に撮影する一次元ＣＣＤカメラ８を設け、一次元ＣＣＤカメラ８で撮影された視野の各幅方向部位での出力を明部と暗部に２値化する画像処理を行い、画像処理された一次元の２値化データについて、段ボールシート１の走行方向で暗部が連続する最もシート内方側の幅方向部位に、そのシート内側へ幅方向に連続し、その連続する長さが所定の数値範囲内である暗部が存在する走行方向位置を、ピッチマーク４の付与位置として検出することにより、簡単な一次元の画像処理でピッチマーク４を確実に短時間で識別できるようにした。【選択図】図４
2005297101.tif 000002
【特許請求の範囲】
【請求項１】
少なくとも一方のシート幅縁部に走行方向へ延びるラインマークが付与され、さらに、このラインマークからシート内側へ所定の長さだけ幅方向に連続するピッチマークが走行方向で所定の間隔を設けて付与された走行シートの走行方向切断位置を、前記ピッチマークの付与位置として検出する走行シートの切断位置検出装置において、前記走行シートのラインマークとピッチマークが付与されたシート幅縁部と、このシート幅縁部の外側のシート外側部とを含めた幅方向の視野を連続的に撮影する一次元撮影装置を設け、この一次元撮影装置で撮影された視野の各幅方向部位での出力を明部と暗部に２値化する画像処理を行い、この画像処理された一次元の２値化データについて、前記走行シートの走行方向で暗部が連続する最もシート内方側の幅方向部位に、そのシート内側へ幅方向に連続する暗部が存在する走行方向位置を、前記ピッチマークの付与位置として検出するようにしたことを特徴とする走行シートの切断位置検出装置。
【請求項２】
前記走行方向で暗部が連続する最もシート内方側の幅方向部位のシート内側へ幅方向に連続する暗部の連続長さが所定の数値範囲内であるときに、この暗部が存在する走行方向位置を、前記ピッチマークの付与位置として検出するようにした請求項１に記載の走行シートの切断位置検出装置。
【発明の詳細な説明】
【技術分野】
【０００１】
本発明は、走行シートを長さ切断する切断位置の目安とされるピッチマークの付与位置を検出する走行シートの切断位置検出装置に関するものである。
【背景技術】
【０００２】
高速で走行する段ボールシートや厚紙等の走行シートを長さ切断する際には、予め走行シートに走行方向で所定の間隔を設けてピッチマークを付与し、このピッチマークの付与位置を切断位置の目安とすることがある。このような走行シートを長さ切断する前には幅切り切断が行われることが多く、この幅切り切断位置の目安として、シート幅縁部に走行方向へ延びるラインマークが付与され、ピッチマークはラインマークからシート内側へ所定の長さだけ幅方向に連続するように付与される。
【０００３】
例えば、本発明の実施形態で対象とするコルゲートマシンで製造される段ボールシートには、図２に示すように、表ライナ紙２に予め印刷模様３がその走行方向に所定のピッチでプレプリントされ、さらに、この印刷模様３のピッチに合わせて所定の間隔で印刷された長さ切断位置の目安とされるピッチマーク４と、一方の幅縁部に沿って印刷された幅切り切断位置の目安とされるラインマーク５とが付与されたものがある。この例では、ピッチマーク４が２つ一組のマーク素子４ａで形成されている。ピッチマーク４は１つまたは３つ以上のマーク素子４ａで形成されることもあり、ラインマーク５は両方の幅縁部に付与されることもある。
【０００４】
図２に示したような段ボールシート１を製造するコルゲートマシンでは、本発明の実施形態を説明する図１に示すように、幅切り切断用のスリッタ６と長さ切断用のロータリカッタ７とが順に配設され、高速で走行してくる段ボールシート１を先にスリッタ６で走行方向に幅切り切断したのち、ロータリカッタ７の上流側に設けたマーク検出手段でピッチマーク４を検出して、この検出出力に基づいてロータリカッタ７の切断タイミングを制御している。なお、段ボールシート１の製造ラインでは、表ライナ紙２は段ボールシート１の下面側に位置するので、マーク検出手段は走行する段ボールシート１の下面側に配置される。
【０００５】
このようなラインマークとピッチマークを付与された走行シートの長さ切断では、シートの汚れや印刷模様がピッチマークとして誤検出され、走行シートが誤った位置で長さ切断される問題があった。この問題に対処する走行材料のマーク検出装置として、ピッチマークを走行材料の所定位置に所定幅で所定数のマーク素子を付与したものとし、ピッチマークを所定の幅方向位置で検出するセンサと、走行材料の走行量を検出する走行量検出器と、センサがマーク素子や印刷部分の検出出力に相当するハイレベルの被検出部を検出しているときの走行量がマーク素子幅に対応する設定範囲内にあるときのみ一致信号を発するマーク素子幅判別器と、センサが被検出部の検出を完了し、続く非検出状態での走行量が所定の設定範囲内にないときのみ不一致信号を発するマーク間隙幅判別器と、マーク素子幅判別器から入力される一致信号を計数し、マーク間隙幅判別器からの不一致信号が入力された場合は新たにマーク素子幅判別器からの一致信号を計数し、その計数値が所定のマーク素子数になると、マーク検出信号を出力するマーク素子数判別器とを備え、ピッチマークをシートの汚れや印刷模様と識別するようにしたものがある（例えば、特許文献１参照。）。
【０００６】
また、走行シートにピッチマークと印刷または加工等が施された部位を被検出体としてこの被検出体を２次元の撮像手段で撮像し、その２次元の撮像画面を画像処理してピッチマークを印刷模様等と識別するようにしたものもある（例えば、特許文献２参照。）。特許文献２に記載のものでは、ピッチマークの不検出が起こらないように、各撮像画面が走行方向で前後の撮像画面と一部重複するようにしている。
【０００７】
【特許文献１】特公平４−１１３５９号公報（第２−５頁、第２−５図）
【特許文献２】特開２００３−２４５８９４号公報（第６−１６頁、第１−１２図）
【発明の開示】
【発明が解決しようとする課題】
【０００８】
特許文献１に記載された走行材料のマーク検出装置は、ピッチマークを検出するセンサは１点を検出するのみの簡単なものとすることができるが、走行材料が幅方向にずれてピッチマークが不検出となる恐れがある。また、マーク素子の幅やマーク素子間の間隙を検出するために、センサの他に走行材料の走行量を高い精度で検出できる走行量検出器を必要とし、マーク検出装置の構成が複雑なものとなる問題もある。
【０００９】
一方、特許文献２に記載のものは、ピッチマークの不検出が生じる恐れは少ないが、ピッチマークの検出に２次元の撮像手段を用いているので、その画像処理とピッチマークの識別に時間がかかり、コルゲートマシンで製造される段ボールシートのように高速で走行する走行シートに対しては、カッタへの切断位置の検出出力が間に合わなくなる恐れがある。
【００１０】
そこで、本発明の課題は、走行シートに付与された長さ切断位置の目安としてのピッチマークを、短時間で確実に識別できるようにすることである。
【課題を解決するための手段】
【００１１】
上記の課題を解決するために、本発明は、少なくとも一方のシート幅縁部に走行方向へ延びるラインマークが付与され、さらに、このラインマークからシート内側へ所定の長さだけ幅方向に連続するピッチマークが走行方向で所定の間隔を設けて付与された走行シートの走行方向切断位置を、前記ピッチマークの付与位置として検出する走行シートの切断位置検出装置において、前記走行シートのラインマークとピッチマークが付与されたシート幅縁部と、このシート幅縁部の外側のシート外側部とを含めた幅方向の視野を連続的に撮影する一次元撮影装置を設け、この一次元撮影装置で撮影された視野の各幅方向部位での出力を明部と暗部に２値化する画像処理を行い、この画像処理された一次元の２値化データについて、前記走行シートの走行方向で暗部が連続する最もシート内方側の幅方向部位に、そのシート内側へ幅方向に連続する暗部が存在する走行方向位置を、前記ピッチマークの付与位置として検出する構成を採用した。
【００１２】
すなわち、走行シートのラインマークとピッチマークが付与されたシート幅縁部と、このシート幅縁部の外側のシート外側部とを含めた幅方向の視野を連続的に撮影する一次元撮影装置を設け、この一次元撮影装置で撮影された視野の各幅方向部位での出力を明部と暗部に２値化する画像処理を行い、この画像処理された一次元の２値化データについて、走行シートの走行方向で暗部が連続する最もシート内方側の幅方向部位に、そのシート内側へ幅方向に連続する暗部が存在する走行方向位置を、ピッチマークの付与位置として検出することにより、ピッチマークがラインマークのシート内側へ幅方向に連続することを利用して、簡単な一次元の画像処理でピッチマークを短時間で確実に識別できるようにした。なお、前記２値化画像処理では、ラインマークやピッチマークの付与部位、シートの汚れや印刷模様の部位、およびシート外側部が暗部となり、その他の部位は明部となる。
【００１３】
前記一次元撮影装置の撮影視野をシート外側部まで含めたのは、走行シートのラインマークが先の幅切り切断によって完全に除去された場合であっても、一次元の２値化データに走行シートの走行方向で暗部の連続する幅方向部位が存在するようにするためである。つまり、図１に示したように、走行シートとしての段ボールシート１を先に幅切り切断する場合は、図３（ａ）、（ｂ）、（ｃ）に示すように、幅切り切断位置の目安となるラインマーク５に対して、実際の幅切り切断位置が変動することがある。通常は、図３（ｂ）に示すように、段ボールシート１はラインマーク５上で幅切り切断されることが多いが、図３（ａ）に示すように、ラインマーク５の内側で幅切り切断されたり、図３（ｃ）に示すように、ラインマーク５の外側で幅切り切断されることがある。
【００１４】
したがって、図３（ａ）に示したように、ラインマーク５の内側で幅切り切断され、ラインマーク５が完全に除去された場合であっても、前記撮影視野に入るシート外側部が走行方向で暗部の連続する幅方向部位となって１箇所存在し、この幅方向部位からシート内側へ所定の数値範囲内の長さで幅方向に連続する暗部が存在する走行方向位置がピッチマーク４の付与位置として識別される。
【００１５】
なお、図３（ｂ）に示したように、ラインマーク５上で幅切り切断された場合は、シート外側部とラインマーク５の部位の走行方向で連続する暗部が合体して１箇所となり、そのシート内側へ幅方向に連続する前記暗部が存在する走行方向位置がピッチマーク４の付与位置として識別される。また、図３（ｃ）に示したように、ラインマーク５の外側で幅切り切断され、その外側に無地の余裕代がある場合は、暗部が走行方向で連続する幅方向部位がシート外側部とラインマーク５の部位との２箇所に存在し、最もシート内方側で暗部が連続する幅方向部位となるラインマーク５の部位からシート内側へ幅方向に連続する前記暗部が存在する走行方向位置がピッチマーク４の付与位置として識別される。
【００１６】
前記走行方向で暗部が連続する最もシート内方側の幅方向部位のシート内側へ幅方向に連続する暗部の連続長さが所定の数値範囲内であるときに、この暗部が存在する走行方向位置を、前記ピッチマークの付与位置として検出することにより、ピッチマークが所定の長さで幅方向に連続して付与されることを利用して、より確実にピッチマークを識別することができる。
【発明の効果】
【００１７】
この発明の走行シートの切断位置検出装置は、走行シートのラインマークとピッチマークが付与されたシート幅縁部と、このシート幅縁部の外側のシート外側部とを含めた幅方向の視野を連続的に撮影する一次元撮影装置を設け、この一次元撮影装置で撮影された視野の各幅方向部位での出力を明部と暗部に２値化する画像処理を行い、この画像処理された一次元の２値化データについて、走行シートの走行方向で暗部が連続する最もシート内方側の幅方向部位に、そのシート内側へ幅方向に連続する暗部が存在する走行方向位置を、ピッチマークの付与位置として検出するようにしたので、簡単な一次元の画像処理でピッチマークを短時間で確実に識別することができる。
【００１８】
前記走行方向で暗部が連続する最もシート内方側の幅方向部位のシート内側へ幅方向に連続する暗部の連続長さが所定の数値範囲内であるときに、この暗部が存在する走行方向位置をピッチマークの付与位置として検出することにより、ピッチマークが所定の長さで幅方向に連続して付与されることを利用して、より確実にピッチマークを識別することができる。
【発明を実施するための最良の形態】
【００１９】
以下、図面に基づき、この発明の実施形態を説明する。図１は、本発明に係る走行シートの切断位置検出装置を採用した、コルゲートマシンで製造される走行シートとしての段ボールシート１を走行方向に幅切り切断するスリッタ６と、幅切り切断された段ボールシート１をこれの幅方向に長さ切断するロータリカッタ７の部分を示す。
【００２０】
前記ロータリカッタ７の上流側には、本発明に係る走行シートの切断位置検出装置を構成する一次元撮影装置としての一次元ＣＣＤカメラ８が設けられ、ロータリカッタ７の入側コンベア９には、段ボールシート１の搬送速度Ｖを検出する回転計１０が取り付けられている。一次元ＣＣＤカメラ８と回転計１０の検出出力はコントローラ１１に入力されるようになっており、コントローラ１１は、後述するように一次元ＣＣＤカメラ８の検出出力を画像処理してピッチマーク４の付与位置を識別するとともに、一次元ＣＣＤカメラ８とロータリカッタ７間の距離Ｄと、回転計１０で検出される段ボールシート１の搬送速度Ｖとに基づいて、ロータリカッタ７の切断タイミングを制御する。
【００２１】
前記段ボールシート１は、図２に示すように、下面側の表ライナ紙２に予め印刷模様３がその走行方向に所定のピッチでプレプリントされ、さらに、この印刷模様３のピッチに合わせて所定の間隔で印刷された長さ切断位置の目安とされるピッチマーク４と、一方の幅縁部に沿って印刷された幅切り切断位置の目安とされるラインマーク５とが付与されたものである。ピッチマーク４は、ラインマーク５からシート内側へ所定の長さＬ0だけ幅方向に連続する２つ一組のマーク素子４ａで形成されている。
【００２２】
前記スリッタ６で幅切り切断された後の段ボールシート１は、図３（ａ）、（ｂ）、（ｃ）に示すように、幅切り切断位置によって、ラインマーク５の残存形態が異なる。図３（ａ）は、段ボールシート１がラインマーク５の内側で幅切り切断された場合、図３（ｂ）は、ラインマーク５上で幅切り切断された場合、図３（ｃ）は、ラインマーク５の外側で幅切り切断された場合である。通常は、図３（ｂ）に示すように、ラインマーク５上で幅切り切断されることが多い。なお、図３（ｄ）は、図３（ｂ）のようにラインマーク５上で幅切り切断された場合について、印刷模様３がラインマーク５の近くまで張り出してプレプリントされている例を示す。プレプリントされる印刷模様３がラインマーク５と接する位置まで張り出すことはない。
【００２３】
図４（ａ）、（ｂ）に示すように、前記一次元ＣＣＤカメラ８は、走行する段ボールシート１の下面側に配置され、ピッチマーク４とラインマーク５が付与された段ボールシート１の下面側幅縁部と、その外側のシート外側部とを含めた幅方向の視野を連続的に撮影する。シート外側部の撮影視野には、段ボールシート１の幅縁部と間隔を開けて反射板１２が配置されている。図４（ｂ）は、代表例として、図３（ｂ）の幅切り切断位置の段ボールシート１に対する一次元ＣＣＤカメラ８の撮影視野Ｓを示す。
【００２４】
前記反射板１２をシート外側部の撮影視野に段ボールシート１の幅縁部と間隔を開けて配置したのは、後述する一次元ＣＣＤカメラ８の検出出力の２値化画像処理で反射板１２の撮影部分は確実に明部となるので、図３（ａ）、（ｂ）に示したような場合であっても、一次元の画像処理の起点となる撮影視野の一方の端部に明部を常に存在させて、この明部の内側でピッチマーク４の検出起点となる暗部が走行方向に連続する幅方向部位を判別しやすくするためである。
【００２５】
前記コントローラ１１は、刻々入力される一次元ＣＣＤカメラ８の各幅方向部位での検出出力を、明部と暗部に２値化する画像処理を行う。図５（ａ）、（ｂ）、（ｃ）、（ｄ）は、それぞれ図３（ａ）、（ｂ）、（ｃ）、（ｄ）に示した各幅切り切断位置の段ボールシート１に対する画像処理画面の例を示す。いずれの画像処理画面も横軸が一次元ＣＣＤカメラ８の撮影視野Ｓ、縦軸が段ボールシート１の走行方向に相当する時間軸であり、明部Ｗと暗部Ｂに２値化されている。
【００２６】
前記画像処理画面は、いずれも左端部に反射板１２を撮影した明部Ｗ1が存在する。段ボールシート１がラインマーク５の内側で幅切り切断された場合を示す図５（ａ）の画像処理画面は、明部Ｗ1の右側にシート外側部を撮影した暗部Ｂ1が段ボールシート１の走行方向へ連続して存在し、この暗部Ｂ1のシート内側へ２つ一組のマーク素子４ａを撮影した２本の暗部Ｂ3が幅方向に長さＬだけ連続している。また、ラインマーク５上で幅切り切断された場合を示す図５（ｂ）の画像処理画面は、明部Ｗ1の右側にシート外側部を撮影した暗部Ｂ1と、ラインマーク５を撮影した暗部Ｂ2とが合体した暗部Ｂ12が走行方向へ連続して存在し、この暗部Ｂ12のシート内側へ２本の暗部Ｂ3が幅方向に長さＬだけ連続している。ラインマーク５の外側で幅切り切断された場合を示す図５（ｃ）の画像処理画面は、明部Ｗ1の右側にシート外側部を撮影した暗部Ｂ1、段ボールシート１の無地の余裕代部を撮影した明部Ｗ2、ラインマーク５を撮影した暗部Ｂ2が順に走行方向へ連続して存在し、最もシート内方側の暗部Ｂ2のシート内側へ２本の暗部Ｂ3が幅方向に長さＬだけ連続している。なお、図５（ａ）、（ｂ）の場合は、いずれも走行方向へ連続する暗部Ｂ1、Ｂ12が幅方向の１箇所にしか存在しないので、これらがそれぞれ最もシート内方側の暗部Ｂ1、Ｂ12となる。
【００２７】
前記印刷模様３がラインマーク５の近くまで張り出してプレプリントされている例を示す図５（ｄ）の画像処理画面は、図５（ｂ）の画像処理画面と同様に、明部Ｗ1の右側にシート外側部を撮影した暗部Ｂ1と、ラインマーク５を撮影した暗部Ｂ2とが合体した暗部Ｂ12が走行方向へ連続して存在し、印刷模様３を撮影した暗部Ｂ4は、暗部Ｂ12と幅方向に連続せずに離れて存在する。したがって、この暗部Ｂ4はピッチマーク４の付与位置ではないと判別される。
【００２８】
前記コントローラ１１は、図５（ａ）、（ｂ）、（ｃ）に示したように、走行方向へ連続する最もシート内方側の暗部Ｂ1、Ｂ12、Ｂ2のシート内側へ２本の暗部Ｂ3が連続するときに、これらの各暗部Ｂ3の幅方向に連続する長さＬが所定の数値範囲ＬL〜ＬU内であるか否かを判定し、数値範囲ＬL〜ＬU内であるときに、暗部Ｂ3が存在する走行方向位置をピッチマーク４の付与位置として識別する。この実施形態では、ピッチマーク４の各マーク素子４ａの長さＬ0をパラメータとして、ＬL＝０．５Ｌ0、ＬU＝Ｌ0とされている。なお、段ボールシート１がラインマーク５の内側で幅切り切断されることが皆無の場合は、ＬL＝ＬU＝Ｌ0として数値範囲ＬL〜ＬUを所定の数値に限定してもよい。
【００２９】
上述した実施形態では、走行シートである段ボールシートのピッチマークを２つ一組のマーク素子で形成したものとしたが、ピッチマークのマーク素子の数は１つまたは３つ以上のものであってもよい。ただし、実施形態のもののように、ピッチマークのマーク素子の数を複数にすれば、走行方向へ連続する暗部のシート内側へ連続する暗部の本数によるチェックも加えて、より確実にピッチマークの付与位置を識別することができる。
【００３０】
また、本発明に係る走行シートの切断位置検出装置は、走行シートがピッチマークとラインマークを付与されたものであればよく、段ボールシート以外の走行シートにも適用することができる。
【図面の簡単な説明】
【００３１】
【図１】本発明に係る走行シートの切断位置制御装置を採用したコルゲートマシンのスリッタとロータリカッタの部分を示す概略正面図
【図２】図１のコルゲートマシンで製造される段ボールシートを示す平面図
【図３】ａ、ｂ、ｃ、ｄは、それぞれ図２の段ボールシートが幅切り切断されたあとの幅縁部を示す平面図
【図４】ａは図１の一次元ＣＣＤカメラ設置部の側面図、ｂはａの底面図
【図５】ａ、ｂ、ｃ、ｄは、それぞれ図３（ａ）、（ｂ）、（ｃ）、（ｄ）に対する撮影出力の画像処理画面を示す平面図
【符号の説明】
【００３２】
１  段ボールシート
２  表ライナ紙
３  印刷模様
４  ピッチマーク
４ａ  マーク素子
５  ラインマーク
６  スリッタ
７  ロータリカッタ
８  一次元ＣＣＤカメラ
９  コンベア
１０  回転計
１１  コントローラ
１２  反射板
【図１】
2005297101.tif 000003
【図２】
2005297101.tif 000004
【図３】
2005297101.tif 000005
【図４】
2005297101.tif 000006
【図５】
2005297101.tif 000007